(57)【要約】【課題】  結合長が短く、省スペースに収容可能な同軸コネクタを提供すること、また、同軸ケーブルの向きを互いに容易に変更することができ、軸方向におけるケーブルの損傷を軽減できる同軸コネクタを提供すること等である。【解決手段】  雄端子及び雌端子ともにライトアングルタイプのものを用い、これらを直接的に接続する同軸コネクタを用いる。更に詳細には、第１同軸ケーブルに接続された第１端子と第２同軸ケーブルに接続された第２端子を接続して、第１同軸ケーブルと第２同軸ケーブルに接続する同軸コネクタであって、第１、第２端子ともに、各同軸ケーブルの軸方向と交差する方向に接続手段を有し、第１端子と第２端子を軸方向と交差する方向において直接的に接続することにより、第１端子の接続手段と第２端子の接続手段を互いに接続するようになっている。尚、第１端子と第２端子は、接続後も互いに回動自在であってもよい。【選択図】  図３
2005063738.tif 000002
【特許請求の範囲】
【請求項１】
第１同軸ケーブルに接続された第１コネクタと第２同軸ケーブルに接続された第２コネクタを接続して、前記第１同軸ケーブルと前記第２同軸ケーブルを接続する同軸コネクタにおいて、
前記第１コネクタは、前記第１同軸ケーブルの軸方向と交差する方向に接続手段を有し、
前記第２コネクタは、前記第２同軸ケーブルの軸方向と交差する方向に接続手段を有し、
前記第１コネクタと前記第２コネクタを前記軸方向と交差する方向において直接的に接続することにより、前記第１コネクタの接続手段と前記第２コネクタの接続手段を互いに接続することを特徴とする同軸コネクタ。
【請求項２】
請求項１記載の同軸コネクタにおいて、前記第１コネクタと前記第２コネクタは円筒形の嵌合部を通じて接続されている同軸コネクタ。
【請求項３】
請求項１又は２記載の同軸コネクタにおいて、前記第１コネクタと前記第２コネクタの本体部は薄い金属板を打抜き、折り曲げ加工することによって形成される同軸コネクタ。
【請求項４】
請求項１乃至３のいずれかに記載の同軸コネクタにおいて、第１部品の内部から外部に延出させた第１同軸ケーブルに前記第１コネクタを接続し、第２部品の内部から外部に延出させた第２同軸ケーブルに前記第２コネクタを接続し、前記第１コネクタと前記第２コネクタを接続することにより、前記第１コネクタの接続手段と前記第２コネクタの接続手段を互いに接続する同軸コネクタ。
【請求項５】
請求項４記載の同軸コネクタにおいて、前記第１コネクタと前記第２コネクタは、前記第２部品の内部に固定して設けられた位置決め手段をそれらの間に挟み込むようにして互いに接続される同軸コネクタ。
【請求項６】
請求項４又は５に記載の同軸コネクタにおいて、前記第１部品はノート型パソコンの表示部又は操作部であり、これに対応して、前記第２部品はノート型パソコンの操作部又は表示部である同軸コネクタ。
【請求項７】
請求項２記載の同軸コネクタにおいて、前記第２コネクタの円筒形の嵌合部の外周の一部に突起が設けられている同軸コネクタ。
【請求項８】
請求項１又は２記載の同軸コネクタにおいて、前記第２コネクタの本体部は、薄い金属板を打抜き、折り曲げ加工することによって形成された、前記第１コネクタと接続される円筒形の嵌合部を有しており、前記円筒形の嵌合部における前記金属板同士の合わせ部に形成された凸部が、前記本体部に装着される部材の凹部と嵌合される同軸コネクタ。
【請求項９】
ノート型パソコンの表示部の内部から外部に延出させた第１同軸ケーブルに第１コネクタを接続し、前記ノート型パソコンの操作部の内部から外部に延出させた第２同軸ケーブルに第２コネクタを接続し、前記第１コネクタと前記第２コネクタを前記ノート型パソコンの外部で接続することにより、前記第１コネクタの接続手段と前記第２コネクタの接続手段を互いに接続する前記ノート型パソコンであって、
前記第１コネクタは、前記第１同軸ケーブルの軸方向と交差する方向に接続手段を有し、
前記第２コネクタは、前記第２同軸ケーブルの軸方向と交差する方向に接続手段を有し、
前記第１コネクタと前記第２コネクタを前記軸方向と交差する方向において直接的に接続することにより、前記第１コネクタの接続手段と前記第２コネクタの接続手段を互いに接続することを特徴とするノート型パソコン。
【請求項１０】
ノート型パソコンの表示部の内部から外部に延出させた第１同軸ケーブルに第１コネクタを接続し、前記ノート型パソコンの操作部の内部から外部に延出させた第２同軸ケーブルに第２コネクタを接続し、前記第２コネクタを前記第２部品の内部に固定して設けて前記第１コネクタの接続手段と前記第２コネクタの接続手段を前記第２部品の内部で接続する前記ノート型パソコンであって、
前記第１コネクタは、前記第１同軸ケーブルの軸方向と交差する方向に接続手段を有し、
前記第２コネクタは、前記第２同軸ケーブルの軸方向と交差する方向に接続手段を有し、
前記第１コネクタと前記第２コネクタを前記軸方向と交差する方向において直接的に接続することにより、前記第１コネクタの接続手段と前記第２コネクタの接続手段を互いに接続することを特徴とするノート型パソコン。
【請求項１１】
一方の同軸ケーブルに接続されたコネクタと他方の同軸ケーブルに接続されたコネクタを接続して、前記一方の同軸ケーブルと前記他方の同軸ケーブルを接続する同軸コネクタに用いる前記コネクタにおいて、
前記コネクタは前記同軸ケーブルの軸方向と交差する方向に接続手段を有し、
前記コネクタ同士を前記軸方向と交差する方向において直接的に接続することにより、前記コネクタの接続手段同士を互いに接続することを特徴とするコネクタ。
【発明の詳細な説明】
【技術分野】
【０００１】
本発明は、同軸コネクタ、更に言えば、同軸コネクタを形成するコネクタ同士を互いに直接的に接続することができるライトアングルタイプの同軸コネクタに関する。
【背景技術】
【０００２】
同軸コネクタは、例えば、雄コネクタと雌コネクタの対から成る。これらの各コネクタは、その形状から、ストレートタイプとライトアングルタイプに大別できる。
【０００３】
ストレートタイプとは、雄コネクタと雌コネクタの電気接続に用いる接続手段、例えば、接続ピンやバネ部材が、これらの各コネクタに接続される同軸ケーブルの軸方向に沿って固定され、雄コネクタと雌コネクタが、同軸ケーブルの軸方向に沿って互いに接続されるタイプをいう。図１１に、ストレートタイプの同軸コネクタ９の一例を示す。ここで、参照番号９１が雌コネクタ、９２が雄コネクタをそれぞれ示している。
【０００４】
一方、ライトアングルタイプとは、雄コネクタと雌コネクタの接続に用いる接続手段が、これらの各コネクタに接続される同軸ケーブルの軸方向と例えば直交する方向に沿って固定され、雄コネクタと雌コネクタが、同軸ケーブルの軸方向と直交する方向に沿って互いに接続されるタイプをいう。
【０００５】
尚、従来、ライトアングルタイプの同軸コネクタは、例えば、特開２００２−１７０６３８号に開示されているように、中継基板と接続するために使用され、ストレートタイプの同軸コネクタのように、中継基板を介さずに雄コネクタと雌コネクタ同士が直接的に接続されることはなかった。
【０００６】
同軸コネクタは、様々な分野で幅広く利用されている。例えば、ノート型パソコンを製造する際にも同軸コネクタを利用されている。従来、ノート型パソコンの製造は、表示部若しくは操作部の一方にのみ予め同軸ケーブルを組み込んで、その一方の部材の外部に延出させた同軸ケーブルの一端に雄コネクタ若しくは雌コネクタの一方を接続しておき、他方の部材を製造している最中に、その他方の部材の内部に組み込まれた、他方のコネクタが接続されている基板に対して、上記の一方のコネクタを接続するといった方法が採用されていた。
【０００７】
【特許文献１】特開平８−３７０６２号  いわゆるストレートタイプの同軸コネクタが開示されている。
【特許文献２】特開２００２−１７０６３８号  いわゆるライトアングルタイプの同軸コネクタが中継基板を介して接続されるものが開示されている。
【発明の開示】
【発明が解決しようとする課題】
【０００８】
ストレートタイプの同軸コネクタは、その雄コネクタと雌コネクタが同軸ケーブルの軸方向に沿って互いに接続されることから、同軸ケーブルが軸方向に引張られた場合に、その引張り力が雄コネクタと雌コネクタの間の接続に直接的に影響を与えてしまう。この引張り力に耐え得るように、一般に、ストレートタイプの同軸コネクタでは、雄コネクタと雌コネクタの間に完全ロック機構が必要とされるが、このような完全ロック機構は、各コネクタ、特にそれらの接合部（嵌合部の径の大きさ）を大型化させるという欠点がある。特に、各コネクタに接続される同軸ケーブルの径が細い場合、同軸コネクタが同軸ケーブルに比して非常に大型化し、同軸ケーブル自体に大きな収容スペースを必要としないにもかかわらず、それらを接続する同軸コネクタのために大きな収容スペースを割かなければならない、といった事態も考えられる。
【０００９】
また、例えば、上に例示したノート型パソコンへの使用態様において、表示部と操作部を接続するために用いる雄コネクタと雌コネクタは、最終的には、表示部若しくは操作部のいずれか一方の内部に完全に収容されることになるが、ストレートタイプの同軸コネクタは、その軸方向に比較的大きな長さを有してしまうことから、それを収容するために所定方向に比較的大きな長さスペースを必要とし、また、このスペース内では同軸ケーブルの向きの変更が困難で、操作部内への組み込み作業が煩雑であるといった問題がある。また、取り分け、収容スペースが小さい場合、同軸ケーブルの向きの変更が困難なことから、例えば、同軸ケーブルの長さが長すぎる場合には、同軸ケーブルの組み込みが不可能となったり、或いは、軸方向に不所望な力を受けたときに同軸ケーブルに悪影響を及ぼすといった問題もある。更に、例えば、比較的小さな収容スペースにおいては、同軸ケーブルの長さの変更が容易でないといった問題もある。
【００１０】
本発明は、これらの問題を解決するためになされたものであり、結合長が短く、省スペースに収容可能な同軸コネクタを提供することを目的とする。
【００１１】
また、本発明は、同軸ケーブルの向きを互いに容易に変更することができ、軸方向におけるケーブルの損傷を軽減できる同軸コネクタを提供することを目的とする。
【００１２】
更に、本発明は、同軸ケーブルの中継、延長に利用して、比較的小さな収容スペースにおいても、同軸ケーブルの長さを自由に且つ容易に変更することができる同軸コネクタを提供することを目的とする。
【課題を解決するための手段】
【００１３】
上記の目的を達成するため、本発明は、直接接続可能なライトアングルタイプの同軸コネクタを用いるもの、更に言えば、雄コネクタ及び雌コネクタともに、ライトアングルタイプのものを用い、これらを直接的に接続するものである。
【００１４】
本発明は、第１同軸ケーブルに電気的に接続された第１コネクタと第２同軸ケーブルに電気的に接続された第２コネクタを接続して、前記第１同軸ケーブルと前記第２同軸ケーブルを電気的に接続する同軸コネクタにおいて、前記第１コネクタは、前記第１同軸ケーブルの軸方向と交差する方向に接続手段を有し、前記第２コネクタは、前記第２同軸ケーブルの軸方向と交差する方向に接続手段を有し、前記第１コネクタと前記第２コネクタを前記軸方向と交差する方向において直接的に接続することにより、前記第１コネクタの接続手段と前記第２コネクタの接続手段を互いに接続することを特徴としている。これにより、同軸コネクタを省スペース内に収容することができる。
【００１５】
尚、上記同軸コネクタにおいて、前記第１コネクタと前記第２コネクタは円形の嵌合部を通じて接続されていてもよい。これにより、第１コネクタと第２コネクタは、接続後も互いに回動自在となる。
【００１６】
また、上記同軸コネクタにおいて、前記第１コネクタと前記第２コネクタの本体部は薄い金属板を打抜き、折り曲げ加工することによって形成されてもよい。
【００１７】
更に、上記同軸コネクタにおいて、第１部品の内部から外部に延出させた第１同軸ケーブルに前記第１コネクタを接続し、第２部品の内部から外部に延出させた第２同軸ケーブルに前記第２コネクタを接続し、前記第１コネクタと前記第２コネクタを接続することにより、前記第１コネクタの接続手段と前記第２コネクタの接続手段を互いに接続するものであってもよい。これにより、第１部品と第２部品の間の組立てが非常に容易となる。
【００１８】
また、上記同軸コネクタにおいて、前記第１コネクタと前記第２コネクタは、前記第２部品の内部に固定して設けられた位置決め手段をそれらの間に挟み込むようにして互いに接続されてもよい。これにより、第１コネクタと第２コネクタの位置を容易に位置決めすることができる。
更に、上記同軸コネクタにおいて、前記第１部品はノート型パソコンの表示部又は操作部であり、これに対応して、前記第２部品はノート型パソコンの操作部又は表示部であってもよい。
【００１９】
また、上記同軸コネクタにおいて、前記第２コネクタの円筒形の嵌合部の外周の一部に突起が設けられていてもよい。これにより、同軸ケーブルをコネクタの本体部に取り付ける際、同軸ケーブルを容易に位置決めできる。尚、この突起は、第１コネクタと第２コネクタの過剰な嵌合を防止するためにも利用できる。
また、上記同軸コネクタにおいて、前記第２コネクタの本体部は、薄い金属板を打抜き、折り曲げ加工することによって形成された、前記第１コネクタと接続される円筒形の嵌合部を有しており、前記円筒形の嵌合部における前記金属板同士の合わせ部に形成された凸部が、前記本体部に装着される部材の凹部と嵌合されるようになっていてもよい。これにより、金属板の合わせ部の開きを防止することができる。。
【００２０】
また、本発明は、ノート型パソコンの表示部の内部から外部に延出させた第１同軸ケーブルに第１コネクタを接続し、前記ノート型パソコンの操作部の内部から外部に延出させた第２同軸ケーブルに第２コネクタを接続し、前記第１コネクタと前記第２コネクタを前記ノート型パソコンの外部で接続することにより、前記第１コネクタの接続手段と前記第２コネクタの接続手段を互いに接続する前記ノート型パソコンであって、前記第１コネクタは、前記第１同軸ケーブルの軸方向と交差する方向に接続手段を有し、前記第２コネクタは、前記第２同軸ケーブルの軸方向と交差する方向に接続手段を有し、前記第１コネクタと前記第２コネクタを前記軸方向と交差する方向において直接的に接続することにより、前記第１コネクタの接続手段と前記第２コネクタの接続手段を互いに接続することを特徴としている。これにより、ノート型パソコンの組立てが非常に容易となる。
【００２１】
更に、本発明は、ノート型パソコンの表示部の内部から外部に延出させた第１同軸ケーブルに第１コネクタを接続し、前記ノート型パソコンの操作部の内部から外部に延出させた第２同軸ケーブルに第２コネクタを接続し、前記第２コネクタを前記第２部品の内部に固定して設けて前記第１コネクタの接続手段と前記第２コネクタの接続手段を前記第２部品の内部で接続する前記ノート型パソコンであって、前記第１コネクタは、前記第１同軸ケーブルの軸方向と交差する方向に接続手段を有し、前記第２コネクタは、前記第２同軸ケーブルの軸方向と交差する方向に接続手段を有し、前記第１コネクタと前記第２コネクタを前記軸方向と交差する方向において直接的に接続することにより、前記第１コネクタの接続手段と前記第２コネクタの接続手段を互いに接続することを特徴としている。これにより、ノート型パソコンの組立てが非常に容易となる。
【００２２】
更にまた、本発明は、一方の同軸ケーブルに電気的に接続されたコネクタと他方の同軸ケーブルに電気的に接続されたコネクタを接続して、前記一方の同軸ケーブルと前記他方の同軸ケーブルを電気的に接続する同軸コネクタに用いる前記コネクタにおいて、前記コネクタは前記同軸ケーブルの軸方向と交差する方向に接続手段を有し、前記コネクタ同士を前記軸方向と交差する方向において直接的に接続することにより、前記コネクタの接続手段同士を互いに接続することを特徴としている。
【発明の効果】
【００２３】
本発明の同軸コネクタは、結合長が短く、省スペース内に収容が可能である。
【００２４】
本発明の同軸コネクタは、同軸コネクタに固定された同軸ケーブルの方向を自由に変更することができ、このため、軸方向において不所望な力を受けにくく、また、同軸ケーブルの長さの許容度が大きいという利点がある。
【発明を実施するための最良の形態】
【００２５】
図１乃至図３に、本発明によるライトアングルタイプの同軸コネクタを示す。図１はこの同軸コネクタの雄コネクタの側面断面図、図２はその雌コネクタの側面断面図、図３はこれら雄コネクタと雌コネクタの接続状態における側面断面図である。
【００２６】
１．雄コネクタの構成
先ず、雄コネクタの構成を説明する。雄コネクタ２は、全体としてＬ字形状を有し、本体外部を形成するシールドケース（プラグ状外部導体）２１と、その内部に配置された端子絶縁体２２を備えて成り、これらの部材に中心導体をなす中心コンタクト４５と同軸ケーブル４が固定された形となっている。
【００２７】
図面からは必ずしも明らかではないが、シールドケース２１は、薄い金属板を打抜き、折り曲げ加工することによって形成されている。ここでは切削加工は行われないため、より容易且つ安価に雄コネクタ２を製造できる。図４に、組立て前のシールドケースの状態を示している。ここで、図４のａ）はその正面図、ｂ）は断面図、ｃ）は背面図、ｄ）は底面図である。
【００２８】
シールドケース２１は、嵌合部として機能するシールドケース円筒部２３と、このシールドケース円筒部２３から略直交方向に延びる側面部２４、更に、狭幅部２５を介してシールドケース円筒部２３と接続されシールドケース円筒部２３から水平方向に延びる延長部２６から成り、この延長部２６は更に、延長部２６に対してそれぞれ略直交方向に延びる同軸ケーブル絶縁体圧着部２９と、シールド導体圧着部３０、及び外皮圧着部３１を有する。
【００２９】
１−１．シールドケース円筒部
シールドケース円筒部２３の背面側略中心付近に、円筒部２３を形成するために金属板を付き合わせたときに生じた合わせ部２８が存在する。容易に想像できるように、この合わせ部２８において互いに重なり合わされる金属板の２つの合わせ面は、金属板を曲げているだけなので雌コネクタとの挿抜時の負荷を受けて外側に開いてしまう傾向にある。合わせ部２８における合わせ面に大きなずれを生じさせることなく、また、それらを略完全に密着させた状態とするため、合わせ部２８の上部に端子絶縁体２２の凹部（図５の３９）と嵌合され得る凸部３８が設けられている。
【００３０】
シールドケース円筒部２３の先端付近外周部には、雌コネクタとロックさせるために使用される環状凹部３６が設けられている。
【００３１】
更に、この環状凹部３６よりもシールドケース円筒部２３の先端から遠い側で、且つ、シールドケース円筒部２３の正面側外周の略中心付近に、工具（図示されていない）を用いて同軸ケーブルを位置決めする際に使用される突起３７が設けられている。従来、このような同軸ケーブルの位置決めは、このような突起３７の代わりに、シールドケースの一部に設けられた切り欠き等（例えば、図２の雌コネクタ６のシールドケース２１’に設けられた切り欠き４７等）を利用してなされていた。しかしながら、例えば、雄コネクタを基準として雄コネクタと雌コネクタを嵌合させる場合には、雄コネクタの変形をできるだけ防止するのが好ましく、このような場合には、雌コネクタ６に設けられているような切り欠き（４７）を設けることは好ましくない。そこで、本発明では、この切り欠きの代わりに突起３７を設け、この突起３７を基準として、同軸ケーブルの位置決めできるようにした。尚、この突起３７は、後述するように、雄コネクタ２と雌コネクタとの嵌合時にストッパとしても機能し得る。
【００３２】
１−２．端子絶縁体
端子絶縁体２２は、シールドケース２１の内部に装着され、略完全にそこに収容される。端子絶縁体２２は、シールドケース２１の合わせ部２８の凸部３８に対応して凹部３９を有する。端子絶縁体２２をシールドケース２１に装着する際、シールドケース２１の合わせ部２８において金属板の合わせ面を密着させた状態で、合わせ部２８の凸部３８に端子絶縁体２２の凹部３９を嵌め込むことにより、シールドケース２１の少なくとも凸部３８においては合わせ部２８が外側に開いてしまうことを完全に防止できる。尚、一旦端子絶縁体２２がシールドケース２１に装着された後は、シールドケース２１の合わせ部２８の合わせ面が外側に開く力を利用して、シールドケース２１の凸部３８を端子絶縁体２２の凹部３９に密着させることもできる。
【００３３】
１−３．同軸ケーブル
同軸ケーブル４は、その先端側において、外皮４１を剥いて内側のシールド導体４２を露出させた状態とされ、最も先端においては、外皮４１、シールド導体４２、及び同軸ケーブル絶縁体４３の全てを剥いて中心導体４４を露出させた状態とされている。露出したシールド導体４２は、その周囲でシールドケース２１に電気的、物理的に接続され、また、露出した中心導体４４には、同軸ケーブル４の軸方向と交差する方向、例えば、直交する方向にピン状の中心コンタクト４５が半田付けされる。これら同軸ケーブル４や中心コンタクト４５は、端子絶縁体２２の内部に装着される。同軸ケーブル４や中心コンタクト４５は、端子絶縁体２２を介して、シールドケース２１に位置決めされることになる。特に、同軸ケーブル４の中心導体４４は、端子絶縁体２２によって二方向から挟み込まれた状態で位置決めされ、一方、中心コンタクト４５は、端子絶縁体２２の特に端子絶縁体円筒部３２の中心を貫通した状態で位置決めされる。
【００３４】
１−４．組立て手順
続いて図５を参照し、雄コネクタの組立て手順を説明する。図５は、シールドケースを正面からみたときの一部断面側面図である。
【００３５】
図５のａ）、ｂ）に示すように、先ず、端子絶縁体２２がシールドケース２１の所定位置に配置される。このとき、シールドケース２１の凸部３８が端子絶縁体２２に設けた凹部３９に押し込まれる。端子絶縁体２２がシールドケース２１に完全に装着されたとき、端子絶縁体２２の端子絶縁体円筒部３２がシールドケース２１のシールドケース円筒部２３の一部まで挿入され、また、端子絶縁体２２の端子絶縁体円筒部３２付近から略直交方向に延びる部分３３の側面はその略全体をシールドケース２１の側面部２４によって覆われる。
【００３６】
次いで、図５のｃ）に示すように、同軸ケーブル４が、その先端部付近に固定した中心コンタクト４５を端子絶縁体２２の端子絶縁体円筒部３２中心に設けた貫通孔３４を貫通させるようにして端子絶縁体２２に装着される。
【００３７】
その後、シールドケース２１の延長部２６を、狭幅部２５を中心に、シールドケース円筒部２３に接近する図示矢印方向ア（図面時計方向）に直角に折り曲げて、同軸ケーブル４の上部側面を覆う状態とした後、延長部２６から延びる同軸ケーブル絶縁体圧着部２９、シールド導体圧着部３０、外皮圧着部３１をそれぞれ、同軸ケーブル４の側面と底面を包み込むように折り曲げれば完成である。
【００３８】
尚、シールドケース２１の延長部２６を折り曲げたとき、これに伴って、端子絶縁体２２の一部として一体成形された端子絶縁体２２の延長部３５も、同時に折り曲げられる。この結果、端子絶縁体２２の延長部３５は、シールドケース２１の内部において、同軸ケーブル４の上部側面を覆うことになり、これにより、同軸ケーブル４の内側の部材、即ち、中心導体４４や中心コンタクト４５と、外側の部材、即ち、シールド導体４２との間の電気的な接続を完全に遮断することができる。
【００３９】
２．雌コネクタの構成
次に、雌コネクタの構成を説明する。雌コネクタ６も上に説明した雄コネクタ２と同様に、全体としてＬ字形状を有し、本体外部を形成するシールドケース（ソケット状外部導体）２１’と、その内部に配置された端子絶縁体２２’を備えて成り、これらの部材に中心導体をなす狭持バネ６２と同軸ケーブル４’が固定された形となっている。雌コネクタ６の構成は、雄コネクタ２の構成と近似するため、その特徴的な部分だけを説明する。尚、雄コネクタと同様の部材には参照番号に「’」を付して示す。
【００４０】
雌コネクタ６の端子絶縁体２２’は、シールドケース２１’のシールドケース円筒部２３’内部の略全体に延びる。従って、雄コネクタ２のシールドケース円筒部２３のように、シェル部（図１の参照番号２７）は存在しない。端子絶縁体２２’の中心には、コンタクト挿入孔６１が設けられており、このコンタクト挿入孔６１には、その孔に沿って２枚一組とされた板状の狭持バネ６２が（紙面垂直方向に）並行に配置されている。これらの狭持バネ６２は、その上部において、中心曲がり板状導体６３に接続されており、この中心曲がり板状導体６３の端部は、同軸ケーブル４’の中心導体４４’に半田付けされている。
【００４１】
３．雄コネクタと雌コネクタの接続
図３から明らかなように、本発明では、雄コネクタと雌コネクタは互いに直接的に接続される。
【００４２】
雄コネクタ２と雌コネクタ６が接続されたとき、雄コネクタ２のシールドケース円筒部２３の先端付近に設けた環状凹部３６に雌コネクタ６のシールドケース円筒部２３’の先端付近に設けた環状凸部６４がパチンと嵌まる。このとき、両者を例えばフィンガーロックのような簡易ロックで接続してもよい。この際には、突起３７がストッパーとして機能するので、雄コネクタ２と雌コネクタ６が過剰に深く嵌合して破損することを防止できる。ただし、ここでは螺合等の完全ロックは不要である。なぜなら、本発明では、雄コネクタ２と雌コネクタ６が、軸方向と交差する方向同士で接続されることから、その接続向き故に、それ自体で軸方向に比較的大きな接続力を有するからである。従って、本発明のライトアングルタイプの同軸コネクタは、小型な簡易ロックを設けるだけで（或いはそのようなロックを設けなくとも）、所要の引張り力に十分に耐え得る。
【００４３】
雄コネクタ２と雌コネクタ６の接続時に、雌コネクタ６の端子絶縁体２２’の先端の一部は、雄コネクタ２のシェル部２７に嵌合する。また、雄コネクタ２の中心コンタクト４５は、狭持バネ６２のバネ力に抗して、それらの間に挿入される。これにより、雌コネクタ６の狭持バネ６２と雄コネクタ２の中心コンタクト４５、更に言えば、狭持バネ６２に接続された雌コネクタ側の同軸ケーブル４’と中心コンタクト４５に接続された雄コネクタ２側の同軸ケーブル４は、互いに電気的に接続される。
【００４４】
明らかなように、雄コネクタ２と雌コネクタ６を直接接続することにより、接続点は１箇所のみとなるが、この結果、中継基板を利用する方法に比して、同軸ケーブル間における特性劣化、例えば、反射損失や伝送損失をより少なくすることができる。
【００４５】
また、本発明では、雄コネクタ２と雌コネクタ６の双方が、互いに接続すべき同軸ケーブル４、４’の軸方向にて接続されることから、結合寸法を低背化し、つまり、互いに接続すべき同軸ケーブル４、４’の軸方向に直交する方向の寸法を小さくすることができ、省スペースに収容が可能である。
【００４６】
更に、本発明では、雄コネクタ２と雌コネクタ６が、それぞれの円形の嵌合部であるシールドケース円筒部２３、２３’を介して回動自在に接続され得る。この回転角度は何ら制限されず、３６０度あらゆる接続向きで接続できる。この結果、小さなスペースの収容部に組み込むためには、同軸ケーブルの長さが長すぎる場合であっても、ある程度の長さであれば、同軸ケーブルの向きを変更することによって、あえて同軸ケーブルの長さを短くすることなく、また、同軸ケーブルに何ら損傷を与えることなく、そのような長さ部分を許容することができる。更に、雄コネクタ２と雌コネクタ６を回動自在としたことにより、例えば、同軸ケーブルの軸方向において雄コネクタ２と雌コネクタ６を無理やり突き合わそうとするような不所望な力が加わった場合でも、それに応じて同軸ケーブルの向きを自由に変更できることから、同軸ケーブルに加わる損傷を減少させることもできる。更にまた、同軸ケーブルの軸方向と直交する方向において、雄コネクタ２と雌コネクタ６との間にそれらを互いに突き合わせるような不所望な力が加わった場合でも、雄コネクタ２のシールドケース２１に設けた突起３７が雌コネクタ６のシールドケース円筒部２３’と衝突することから、雄コネクタ２が雌コネクタ６の内部に過剰に深くまで嵌合してしまうことはない。
【００４７】
４．パソコンへの応用例
図６乃至図１１を参照して、本発明の同軸コネクタのノート型パソコンへの応用例を説明する。図６、図７は、この応用例を示す概念図であり、図６は特に、ノート型パソコンの全体の概念図を、図７は特に、雄コネクタ２と雌コネクタ６による接続の概念図を、それぞれ示す。
【００４８】
図６から明らかなように、本発明の同軸コネクタ１を用いてノート型パソコン７を製造する場合、表示部７１と操作部７２はそれぞれ別々のラインで製造され、組立ての最終段階において、表示部７１及び操作部７２それぞれの内部から外部に延出させたそれぞれの同軸ケーブル４、４’の各先端に固定された雄コネクタ２と雌コネクタ６を、ノート型パソコン７の外部で接続することになる。尚、図６においては、表示部７１に２つのアンテナ７３を配したダイバーシティタイプとなっている。
【００４９】
雄コネクタ２と雌コネクタ６を接続したとき、例えば、図７に示すように、表示部７１側に設けたアンテナ７３から直接延びる同軸ケーブル４’と、操作部７２側の各種装置７４が配置された装置基板７５に接続された同軸ケーブル４とが、同軸コネクタ１を介して電気的に接続されることになる。尚、装置基板７５との間の接続は、ここでは問題としないが、勿論、図７の概念図に示すように、装置基板７５に対しても本発明で使用する雌コネクタ６と同様のコネクタを用いることもできる。
【００５０】
図６、図７に示す方法は、製造の自由度を広げるものであることは明らかであろう。なぜなら、この製造方法によれば、表示部７１と操作部７２を全く別々のラインで製造することができるため、例えば、顧客ニーズに合わせて様々な種類の表示部７１や操作部７２を準備しておき、必要に応じて、それら異なる種類の表示部７１と操作部７２とを自由に組み合わせて、様々な種類のパソコンを即座に製造することができるからである。また、図６、図７に示す方法によれば、表示部７１側に設ける同軸ケーブル４と操作部７２側に設ける同軸ケーブルを別々のものとして製造することもできる。例えば、図７に示すように、それら同軸ケーブルの径の大きさを異ならしめることもできる。内部スペースに余裕のあるところでは、同軸ケーブルの径を大きくすることで、伝送特性の劣化を防ぐことが好ましいが、勿論、上の実施態様において、表示部７１、操作部７２のいずれに、雄コネクタ若しくは雌コネクタのいずれを用いるのかは、特に限定されるものではない。
【００５１】
図８、図９に、ノート型パソコン７への実際の使用例を示す。図８のａ）は、本発明の同軸コネクタがノート型パソコンの操作部側の省スペース内に収容されたときの状態を、ｂ）は、この収容された同軸コネクタの周辺部横面の部分拡大図を、図９は、図８のｂ）に示す接続状態の上面図をその変形状態ととともに示すものである。
【００５２】
図８のａ）に示すように、本発明の同軸コネクタ１は、最終的には、操作部７２のスペース７６内に収容されることになるが、この場合でも、図８のｂ）に示すように、雄コネクタ２と雌コネクタ６が軸方向と交差する方向において接続されることになるから、この同軸コネクタ１はストレートタイプの同軸コネクタのように、所定方向（図の左右方向）に長い長さスペースを要することなく、図示のような省スペース７６に収まる。ところで、この図８のｂ）に示す接続状態は、上から見ると図９のａ）に示す状態に対応する。この状態は、軸方向に互いに突き合わさされた状態であるが、本発明では、雄コネクタ２と雌コネクタ６が回動自在に接続されていることから、例えば、図９のｂ）に示すような接続状態も可能である。このように、本発明によれば、同軸ケーブルの向きを自由に変更することができ、この向きの変更は、スペースが小さい場合に特に有効である。
【００５３】
最後に、図１０を参照して、同軸コネクタ１を所定のスペースに位置決めするための位置決め構造を説明する。図１０のａ）は、この位置決め構造の平面図、ｂ）は、その横面図である。ここでは、雄コネクタ２若しくは雌コネクタ６の一方を所定位置に位置決めするために、例えばフィルム等で作られた位置決め板８０を使用する。位置決め板８０は、雄コネクタ２と雌コネクタ６を配置する省スペース内に固定して設ける。位置決め板８０には、少なくとも２つの穴８１、８２が開けられており、一方の穴８１を挟んで雄コネクタ２と雌コネクタ６を互いに固定することができるようになっており、他方の穴８２は、ネジ（図示されていない）を貫通等させることにより、位置決め板８０を所定スペースの所定位置に固定するために用いることができる。
【００５４】
例えば、スペース内に固定された位置決め板８０の一方の穴８１に整合させるようにして、雄コネクタ２を予め配置しておき、この位置決め板８０を間に挟み込むような形で、後に雌コネクタ６を雄コネクタ２と接続すれば、この位置決め板８０を通じてスペース７６内における雄コネクタ２と雌コネクタ６の位置を決定することができる。勿論、雄コネクタ２と雌コネクタ６を交換し、雌コネクタ６を位置決め板８０によって予め配置しておくようにしてもよい。尚、位置決め板はわざわざ別個に設けることなく、パソコン自体の筐体や基板等に穴を設けて、雄コネクタ２と雌コネクタ６の位置を決定することもできる。
【００５５】
５．その他
上の実施形態では、本発明をノート型パソコンへの応用例を挙げて説明したが、本発明は、ノート型パソコンに限らず、ノート型パソコンと同様に表示部と操作部を持つ携帯電話や、ＰＤＡ、その他、第１部品と第２部品に分けることができるような様々な電子機器へ応用可能であることはいうまでもない。
【００５６】
また、同軸コネクタにおいて、外部導体、中心導体の雄雌の組み合わせは自在である。更に、中心コネクタと同軸ケーブルの接続は、上に説明した半田に限らず、圧着等によって行ってもよい。更にまた、同軸状であれば、電気的な同軸ケーブルのみならず、光ケーブル同士の接続にも本発明は容易に利用することができる。したがって、本発明は、電気的な接続に限定されない。
本発明はこれら全ての応用例を含むものである。
【産業上の利用可能性】
【００５７】
本発明の同軸コネクタは場所をとらず、向きの変更が容易なため、比較的小さなスペースに同軸コネクタを収めることが必要な場合に有用である。また、本発明の同軸コネクタは、同軸ケーブルの中継、延長に利用することもできる。
【図面の簡単な説明】
【００５８】
【図１】本発明による同軸コネクタの雄コネクタを示す側面断面図である。
【図２】本発明による同軸コネクタの雌コネクタを示す側面断面図である。
【図３】本発明による雄コネクタと雌コネクタの接続状態の側面断面図である。
【図４】組立て前のシールドケースを示す図である。
【図５】雄コネクタの組立て手順を説明する図である。
【図６】本発明による同軸コネクタのノート型パソコンへの応用例を示した、ノート型パソコン全体の概念図である。
【図７】本発明による同軸コネクタのノート型パソコンへの応用例を示した、コネクタ接続の概念図である。
【図８】本発明による同軸コネクタのノート型パソコンへの実際の使用例を示す図である。
【図９】接続されたコネクタの上面図をその変形状態ととともに示す図である。
【図１０】コネクタの位置決め構造の一例を示す図である。
【図１１】ストレートタイプの同軸コネクタの一例を示す図である。
【符号の説明】
【００５９】
１    同軸コネクタ
２    雄コネクタ
４    同軸ケーブル
６    雌コネクタ
７    ノート型パソコン
２１  シールドケース
２２  端子絶縁体
４４  中心導体
４５  中心コンタクト
６１  コンタクト挿入口
６２  狭持バネ
７１  表示部
７２  操作部
【図１】
2005063738.tif 000003
【図２】
2005063738.tif 000004
【図３】
2005063738.tif 000005
【図４】
2005063738.tif 000006
【図５】
2005063738.tif 000007
【図６】
2005063738.tif 000008
【図７】
2005063738.tif 000009
【図８】
2005063738.tif 000010
【図９】
2005063738.tif 000011
【図１０】
2005063738.tif 000012
【図１１】
2005063738.tif 000013